(57)【特許請求の範囲】
【請求項１】
ユーザ機器ＵＥがトラッキングエリア更新ＴＡＵ要求を発信してから、移動管理エンティティＭＭＥが、更新後のターゲットサービスゲートウェイＳＧＷとソースサービスゲートウェイＳＧＷとが同様であるか否かを判定することと、
判定結果がＮＯである場合、前記ＭＭＥは、続いて前記ＵＥの現在アクセスしている進化型基地局ｅＮｏｄｅＢが変更されたか否かを判定することと、
前記ｅＮｏｄｅＢが変更されていない場合、前記ＭＭＥが前記ＵＥにサービスするように前記ターゲットＳＧＷを選択するとともに、前記ＵＥがターゲットＳＧＷのサービスエリア中に変更することを指示する通知メッセージを、前記ｅＮｏｄｅＢに送信する、又は、前記ＭＭＥが前記ＵＥにＳＧＷを選択することを停止し、前記ＵＥに引き続きソースＳＧＷでサービスを受けることを直接に指示することと、
を含むトラッキングエリア更新後にユーザ機器サービスの継続性を維持する方法。
【請求項２】
前記ＭＭＥが、前記ターゲットＳＧＷを前記ＵＥにサービスするＳＧＷとして選択してから、
前記ＭＭＥが、コアネットワークがターゲットＳＧＷで前記ＵＥに第１のベアラコンテキストを作成したことを確定することと、
前記ＭＭＥが、前記第１のベアラコンテキストが作成されたことにより、トラッキングエリア更新が成功したと確定し、前記ＵＥに対してトラッキングエリア更新が成功したことを指示する確認メッセージを送信することとを含む請求項１に記載の方法。
【請求項３】
前記ＭＭＥが、前記ＵＥがターゲットＳＧＷのサービスエリア中に変更することを指示する通知メッセージを、前記ｅＮｏｄｅＢに送信することは、
前記ＭＭＥが、前記ＵＥがターゲットＳＧＷに載置した、前記ＵＥがすでにターゲットＳＧＷのサービスエリア中に変更したことを指示するインターネットプロトコルＩＰアドレスとトンネルエンドポイント識別子ＴＥＩＤを取得することと、
前記ＭＭＥが前記ＩＰアドレスと前記ＴＥＩＤとを通知メッセージに載せて前記ｅＮｏｄｅＢに送信することとを含む請求項２に記載の方法。
【請求項４】
前記ＭＭＥが、前記ＩＰアドレスと前記ＴＥＩＤとを通知メッセージに載せて前記ｅＮｏｄｅＢに送信してから、
前記ｅＮｏｄｅＢが前記確認メッセージにおける前記ＩＰアドレスと前記ＴＥＩＤにより、ＵＥに載置させるアップリンクを、前記ソースＳＧＷから前記ターゲットＳＧＷへ切り替えることと、
切替操作が成功した場合、ＵＥからのアップリンクサービスパケットを受信し、アップリンクサービスパケットを前記ターゲットＳＧＷに転送することと、さらに含む請求項３に記載の方法。
【請求項５】
前記ＭＭＥが前記ターゲットＳＧＷを前記ＵＥにサービスするＳＧＷとして選択するとともに、前記ｅＮｏｄｅに対して、前記ＵＥに前記ターゲットＳＧＷのサービスエリアに変更することを指示する通知メッセージを送信する、又は、前記ＵＥにＳＧＷを選択することを停止し、直接前記ＵＥに引き続きソースＳＧＷでサービスを受けることを指示してから、
前記ＭＭＥが前記ＵＥに対してトラッキングエリア更新が成功した旨の確認メッセージを送信することをさらに含む請求項１に記載の方法。
【請求項６】
移動管理エンティティＭＭＥにあるトラッキングエリア更新後にユーザ機器サービスの継続性を維持する装置であって、
ユーザ機器ＵＥがトラッキングエリア更新ＴＡＵ要求を発信してから、更新後のターゲットサービスゲートウェイＳＧＷとソースサービスゲートウェイＳＧＷとが同様であるか否かを判定する第１の判定モジュールと、
前記第１の判定モジュールの判定結果がＮＯである場合、前記ＵＥの現在アクセスしている進化型基地局ｅＮｏｄｅＢが変更されたか否かを判定する第２の判定モジュールと、
前記ＵＥの現在アクセスしているｅＮｏｄｅＢが変更されていない場合、前記ＵＥにサービスするように前記ターゲットＳＧＷを選択するとともに、前記ＵＥがターゲットＳＧＷのサービスエリア中に変更することを指示する通知メッセージを、前記ｅＮｏｄｅＢに送信する、又は、前記ＵＥにＳＧＷを選択することを停止し、前記ＵＥに引き続きソースＳＧＷでサービスを受けることを直接に指示する実行モジュールと、
を含むトラッキングエリア更新後にユーザ機器サービスの継続性を維持する装置。
【請求項７】
前記実行モジュールにより前記ターゲットＳＧＷを前記ＵＥにサービスするＳＧＷとして選択してから、コアネットワークが前記ターゲットＳＧＷで前記ＵＥに第１のベアラコンテキストを作成したことを確定する第１の確定モジュールと、
前記第１のベアラコンテキストが作成されたことにより、トラッキングエリア更新が成功したと確定し、前記ＵＥに対してトラッキングエリア更新が成功したことを指示する確認メッセージを送信する第２の確定モジュールと、をさらに含む請求項６に記載の装置。
【請求項８】
前記実行モジュールは、
前記ＵＥが前記ターゲットＳＧＷに載置した、前記ＵＥがすでに前記ターゲットＳＧＷのサービスエリア中に変更したことを指示するインターネットプロトコルＩＰアドレスとトンネルエンドポイント識別子ＴＥＩＤを取得する取得ユニットと、
前記ＩＰアドレスと前記ＴＥＩＤとを通知メッセージに載せて前記ｅＮｏｄｅＢに送信する送信ユニットとを含む請求項７に記載の装置。
【請求項９】
前記実行モジュールは、
前記確認メッセージにおける前記ＩＰアドレスと前記ＴＥＩＤにより前記ＵＥに載置させるアップリンクを前記ソースＳＧＷから前記ターゲットＳＧＷに切り替えることを前記ｅＮｏｄｅＢに指示する切替指示ユニットと、
切替操作が成功した場合、前記ＵＥからのアップリンクサービスパケットを受信し、アップリンクサービスパケットを前記ターゲットＳＧＷに転送することをｅＮｏｄｅＢに指示する転送指示ユニットとを含む請求項８に記載の装置。
【請求項１０】
前記実行モジュールにより、前記ターゲットＳＧＷを前記ＵＥにサービスするＳＧＷとして選択するとともに、前記ｅＮｏｄｅに対して、前記ＵＥに前記ターゲットＳＧＷのサービスエリアに変更することを指示する通知メッセージを送信する、又は、前記ＵＥにＳＧＷを選択することを停止し、直接前記ＵＥに引き続きソースＳＧＷでサービスを受けることを指示することが実行されてから、前記ＵＥに対してトラッキングエリア更新が成功した旨の確認メッセージを送信する送信モジュールをさらに含む請求項６に記載の装置。
【発明の詳細な説明】
【技術分野】
【０００１】
本発明は通信分野に関し、具体的には、トラッキングエリア更新後にユーザ機器サービスの継続性を維持する方法及び装置に関するものである。
【背景技術】
【０００２】
ＬＴＥ（Ｌｏｎｇ  Ｔｅｒｍ  Ｅｖｏｌｕｔｉｏｎ、長期間進化）システムにおけるＥＰＳ（Ｅｖｏｌｖｅｄ  Ｐａｃｋｅｔ  Ｓｙｓｔｅｍ、進化したパケットシステム）において、ＳＧＷ（Ｓｅｒｖｉｎｇ  Ｇａｔｅｗａｙ、サービスゲートウェイ）が対応するサービスエリアがあり、サービスエリアの粒度はＴＡ（Ｔｒａｃｋｉｎｇ  Ａｒｅａ、トラッキングエリア）である。異なるＳＧＷのサービスエリアが重なることがある。ＭＭＥ（Ｍｏｂｉｌｉｔｙ  Ｍａｎａｇｅｍｅｎｔ  Ｅｎｔｉｔｙ、移動管理エンティティ）がＵＥ（Ｕｓｅｒ  Ｅｑｕｉｐｍｅｎｔ、ユーザ機器）にＳＧＷを選択するとき、ネットワークトポロジー構造に基づき行われている。
【０００３】
ＵＥが移動する時、ＴＡの変更がトリガーされるＴＡＵ（Ｔｒａｃｋｉｎｇ  Ａｒｅａ  Ｕｐｄａｔｅ、トラッキングエリア更新）の場合、ＵＥの新しく入ったＴＡがＵＥのアクセスしている元ＳＧＷのサービスエリア内になければ、ＭＭＥがＵＥに新しいＳＧＷを選択してあげることになる。この時、ＵＥのアクセスしている進化型基地局（ｅＮｏｄｅＢ又はｅＮｏｄｅＢ）は変更がない場合、ＳＧＷが変更されたため、ＵＥがＳ１-Ｕインターフェース（３ＧＰＰプロトコルにおけるインターフェース）においてＳＧＷ側に載置されたＩＰ（Ｉｎｔｅｒｎｅｔ  Ｐｒｏｔｏｃｏｌ、インターネットプロトコル）アドレスとＴＥＩＤ（Ｔｕｎｎｅｌ  Ｅｎｄｐｏｉｎｔ  Ｉｄｅｎｔｉｆｉｅｒ、トンネルエンドポイント識別子）が変更されることになり、しかし、この時ｅＮｏｄｅＢがＵＥの載置アップリンクＩＰアドレスとＴＥＩＤの変更が承知しないため、ＵＥサービスの中断になり、また、ＵＥが再びネットワークにアクセスする、又はＳＧＷ変更を実行する切替前のＵＥサービスがリカバリすることができない。
【０００４】
以下、２つの方面から上記場面について詳しく説明する。
まず、「ユーザ機器（ＵＥ）は、進化型基地局（ｅＮｏｄｅＢ）が変更されないがサービスゲートウェイ（ＳＧＷ）が変更されたトラッキングエリア更新（ＴＡＵ）によるＴＡＵの後に発生するサービス中断」という場面の条件を説明する。
【０００５】
ＭＭＥは複数のトラッキングエリアリスト（ＴＡＬｉｓｔ）を保持しているが、その中の２つのＴＡ  Ｌｉｓｔに含まれるＴＡＣ（Ｔｒａｃｋｉｎｇ  Ａｒｅａ  Ｃｏｄｅ、トラッキングエリアコード）は以下の通りである。
【数１】
0005844942.tif 000002
【０００６】
この２つのＴＡ  Ｌｉｓｔに含まれるＴＡＣの値が重なる部分がなく、且つそれぞれ２つのＳＧＷのサービスエリアに対応し、ＴＡ  Ｌｉｓｔ１がＳＧＷ１に、ＴＡ  Ｌｉｓｔ２はＳＧＷ２に対応する。ＭＭＥ、ＳＧＷ１及びＳＧＷ２はいずれもｅＮｏｄｅＢに接続し、ｅＮｏｄｅＢ内にセルＡとセルＢがあり、セルＡのＴＡＣはＴＡＣ１で、セルＢのＴＡＣはＴＡＣ４である。
【０００７】
上記場面条件に基づき、以下、ＴＡＵがトリガーされる２種類の原因により上記場面をさらに２種類の場面を分けて、図１と図２を結合しながら検討する。
【０００８】
場面一、ＵＥが移動せず、ｅＮｏｄｅＢ側のセルＴＡＣ配置の修正により、ＵＥがＴＡ変更を開始させたＴＡＵ。
【０００９】
図１を参照し、当該場面において、ｅＮｏｄｅＢはＴＡ  Ｌｉｓｔ１とＴＡ  Ｌｉｓｔ２におけるＴＡＣを同時にサポートしている。ＵＥがｅＮｏｄｅＢのセルＡでアクセスして、セルＡのＴＡＣ＝ＴＡＣ１で、コアネットワーク側にてＳＧＷ１がアクセスされている。この場合、ｅＮｏｄｅＢ側で手動でセルＡのＴＡＣを、ＴＡＣ１からＴＡＣ４になるように修正することで、ｅＮｏｄｅＢにより更新する旨のブロードキャスト情報を発行することをトリガーする。ＵＥがブロードキャストを受信してから、ＴＡが変更されたことに気づき、これにより、ＴＡのタイプを変更するＴＡＵプロセスがトリガーされる。ＭＭＥは、ＵＥがＴＡＵを開始させた時に所在するＴＡのＴＡＣがＴＡＣ４で、ＴＡ  Ｌｉｓｔ２に属し、ＳＧＷ２のサービスエリアに対応することに気づき、この時、ＭＭＥはＵＥにＳＧＷを再選択して、ＳＧＷ２でＵＥにベアラコンテキスト（ＵＥの載置アップリンクＩＰアドレスとＴＥＩＤを含む）を作成するとともに、ＵＥのＳＧＷ１におけるベアラコンテキスト（ＵＥの載置アップリンクＩＰアドレスとＴＥＩＤを含む）を削除する。ＴＡＵが成功してから、ＭＭＥはＵＥにトラッキングエリア更新受入れ（Ｔｒａｃｋｉｎｇ  Ａｒｅａ  Ｕｐｄａｔｅ  Ａｃｃｅｐｔ）メッセージをフィードバックする。しかし、当該ＴＡＵにおいて、ｅＮｏｄｅＢ  ＵＥのアクセスするＳＧＷが変更されたことを通知するＳ１インターフェースのシグナリングメッセージがないため、ｅＮｏｄｅＢが依然としてＵＥのアップリンクサービスパケットをＳＧＷ１に転送するが、しかし、この時ＳＧＷ１には、ＵＥのベアラコンテキスト（ＵＥの載置アップリンクＩＰアドレスとＴＥＩＤを含む）がすでに削除されていて、ＳＧＷ１がＵＥのアップリンクサービスパケットを受信したが、次の操作ができず、ＵＥのサービスの中断になってしまう。
【００１０】
場面二、ＵＥがｅＮｏｄｅＢ内で移動し、ｅＮｏｄｅＢ側セルは、ＵＥがＴＡの変更を開始させることをトリガーするＴＡＵを修正する。
【００１１】
図２を参照し、当該場面には、ｅＮｏｄｅＢはＴＡ  Ｌｉｓｔ１とＴＡ  Ｌｉｓｔ２におけるＴＡＣを同時にサポートしている。ＵＥがｅＮｏｄｅＢのセルＡでアクセスして、セルＡのＴＡＣ＝ＴＡＣ１で、コアネットワーク側にてＳＧＷ１がアクセスされ、ｅＮｏｄｅＢのセルＢのＴＡＣ＝ＴＡＣ４である。ＵＥがセルＡからセルＢに切替し、切替が完了してから、ＵＥはＴＡが変更されたことに気づき、ＴＡＵを開始させる。ＭＭＥは、ＵＥがＴＡＵを開始させたＴＡＣがＴＡＣ４で、ＴＡ  Ｌｉｓｔ２し、ＳＧＷ２のサービスエリアに対応することに気づき、この時、ＭＭＥはＵＥにＳＧＷを再選択し、ＳＧＷ２でＵＥにベアラコンテキスト（ＵＥの載置アップリンクＩＰアドレスとＴＥＩＤを含む）を作成するとともに、ＵＥがＳＧＷ１におけるベアラコンテキスト（ＵＥの載置アップリンクＩＰアドレスとＴＥＩＤを含む）を削除する。ＴＡＵが成功してから、ＭＭＥはＵＥにトラッキングエリア更新受入れ（Ｔｒａｃｋｉｎｇ  Ａｒｅａ  Ｕｐｄａｔｅ  Ａｃｃｅｐｔ）メッセージをフィードバックする。しかし、当該ＴＡＵにおいて、ｅＮｏｄｅＢ  ＵＥのアクセスするＳＧＷが変更されたことを通知するＳ１インターフェースのシグナリングメッセージがないため、ｅＮｏｄｅＢが依然としてＵＥのアップリンクサービスパケットをＳＧＷ１に転送するが、しかし、この時ＳＧＷ１には、ＵＥのベアラコンテキスト（ＵＥの載置アップリンクＩＰアドレスとＴＥＩＤを含む）がすでに削除されていて、ＳＧＷ１がＵＥのアップリンクサービスパケットを受信したが、次の操作ができず、ＵＥのサービスの中断になってしまう。
【００１２】
関連技術に係わる上記場面における進化型基地局（ｅＮｏｄｅＢ）がＵＥの載置アップリンクＩＰアドレスとＴＥＩＤが変更されたことを承知できないことによりＵＥサービスが中断してしまうという課題に対して、今まで効果的なソリューションが提出されていない。
【発明の概要】
【発明が解決しようとする課題】
【００１３】
本発明は、少なくとも上記課題を解決するために、トラッキングエリアの更新後にユーザ機器サービスの継続性を維持する方法及び装置を提供する。
【課題を解決するための手段】
【００１４】
本発明の一つの方面によると、ユーザ機器（ＵＥ）がトラッキングエリア更新（ＴＡＵ）要求を発信してから、移動管理エンティティ（ＭＭＥ）は、更新後のターゲットサービスゲートウェイ（ＳＧＷ）とソースサービスゲートウェイ（ＳＧＷ）とが同様であるか否かを判定することと、判定結果がＮＯである場合、ＭＭＥは、続いてＵＥの現在アクセスしている進化型基地局（ｅＮｏｄｅＢ）が変更されたか否かを判定することと、ｅＮｏｄｅＢが変更されていない場合、ＭＭＥがＵＥにサービスするようにターゲットＳＧＷを選択するとともに、ＵＥがターゲットＳＧＷのサービスエリア中に変更することを指示する通知メッセージを、ｅＮｏｄｅＢに送信する、又は、ＭＭＥは、ＵＥにＳＧＷを選択することを停止し、ＵＥに引き続きソースＳＧＷでサービスを受けることを直接に指示することとを含むトラッキングエリア更新後にユーザ機器サービスの継続性を維持する方法を提供する。
【００１５】
ＭＭＥは、ターゲットＳＧＷをＵＥにサービスするＳＧＷとして選択してから、ＭＭＥは、コアネットワークがターゲットＳＧＷでＵＥに第１のベアラコンテキストを作成したことを確定することと、ＭＭＥは、第１のベアラコンテキストが作成されたことにより、トラッキングエリア更新が成功したと確定し、ＵＥに対してトラッキングエリア更新が成功したことを指示する確認メッセージを送信することとを含むことが好ましい。
【００１６】
ＭＭＥがｅＮｏｄｅＢに対してＵＥにターゲットＳＧＷのサービスエリアに変更することを指示する通知メッセージを送信することは、ＭＭＥは、ＵＥがターゲットＳＧＷに載置した、ＵＥがすでにターゲットＳＧＷのサービスエリアに変更したことを指示するインターネットプロトコル（ＩＰ）アドレスとトンネルエンドポイント識別子（ＴＥＩＤ）を取得することと、ＭＭＥはＩＰアドレスとＴＥＩＤとを通知メッセージに載せてｅＮｏｄｅＢに送信することとを含むことが好ましい。
【００１７】
ＭＭＥがＩＰアドレスとＴＥＩＤとを通知メッセージに載せてｅＮｏｄｅＢに送信してから、ｅＮｏｄｅＢが確認メッセージにおけるＩＰアドレスとＴＥＩＤによりＵＥの載置するアップリンクをソースＳＧＷからターゲットＳＧＷに切替ることと、切替操作が成功した場合、ＵＥからのアップリンクサービスパケットを受信し、アップリンクサービスパケットをターゲットＳＧＷに転送することとを含むことが好ましい。
【００１８】
ＭＭＥがターゲットＳＧＷをＵＥにサービスするＳＧＷとして選択するとともに、ｅＮｏｄｅに対して、ＵＥにターゲットＳＧＷのサービスエリアに変更することを指示する通知メッセージを送信する、又は、ＵＥにＳＧＷを選択することを停止し、ＵＥに引き続きソースＳＧＷでサービスを受けることを直接に指示してから、ＭＭＥがＵＥに対してトラッキングエリア更新が成功した旨の確認メッセージを送信することをさらに含むことが好ましい。
【００１９】
本発明のもう一つの方面によると、ユーザ機器（ＵＥ）がトラッキングエリア更新（ＴＡＵ）要求を発信してから、更新後のターゲットサービスゲートウェイ（ＳＧＷ）とソースサービスゲートウェイ（ＳＧＷ）とが同様であるか否かを判定する第１の判定モジュールと、第１の判定モジュールの判定結果がＮＯである場合、ＵＥの現在アクセスしている進化型基地局（ｅＮｏｄｅＢ）が変更されたか否かを判定する第２の判定モジュールと、ＵＥの現在アクセスしているｅＮｏｄｅＢが変更されていない場合、ＵＥにサービスするようにターゲットＳＧＷを選択するとともに、ＵＥがターゲットＳＧＷのサービスエリア中に変更することを指示する通知メッセージをｅＮｏｄｅＢに送信する、又は、ＵＥにＳＧＷを選択することを停止し、ＵＥに引き続きソースＳＧＷでサービスを受けることを直接に指示する実行モジュールとを含むトラッキングエリア更新後にユーザ機器サービスの継続性を維持する装置を提供する。
【００２０】
当該装置は、実行モジュールにより、ターゲットＳＧＷをＵＥにサービスするＳＧＷとして選択してから、コアネットワークがターゲットＳＧＷでＵＥに第１のベアラコンテキストを作成したことを確定する第１の確定モジュールと、第１のベアラコンテキストが作成されたことにより、トラッキングエリア更新が成功したと確定し、ＵＥに対してトラッキングエリア更新が成功したことを指示する確認メッセージを送信する第２の確定モジュールとをさらに含むことが好ましい。
【００２１】
実行モジュールは、ＵＥがターゲットＳＧＷに載置した、ＵＥがすでにターゲットＳＧＷのサービスエリアに変更したことを指示するインターネットプロトコル（ＩＰ）アドレスとトンネルエンドポイント識別子（ＴＥＩＤ）を取得する取得ユニットと、ＩＰアドレスとＴＥＩＤとを通知メッセージに載せてｅＮｏｄｅＢに送信する送信ユニットとを含むことが好ましい。
【００２２】
実行モジュールは、確認メッセージにおけるＩＰアドレスとＴＥＩＤによりＵＥの載置するアップリンクをソースＳＧＷからターゲットＳＧＷに切替ることをｅＮｏｄｅＢに指示する切替指示ユニットと、切替操作が成功した場合、ＵＥからのアップリンクサービスパケットを受信し、アップリンクサービスパケットをターゲットＳＧＷに転送することをｅＮｏｄｅＢに指示する転送指示ユニットとを含むことが好ましい。
【００２３】
当該装置は、実行モジュールにより、ターゲットＳＧＷをＵＥにサービスするＳＧＷとして選択するとともに、ｅＮｏｄｅに対して、ＵＥにターゲットＳＧＷのサービスエリアに変更することを指示する通知メッセージを送信する、又は、ＵＥにＳＧＷを選択することを停止し、直接ＵＥに引き続きソースＳＧＷでサービスを受けることを指示することが実行されてから、ＵＥに対してトラッキングエリア更新が成功した旨の確認メッセージを送信する送信モジュールをさらに含むことが好ましい。
【００２４】
本発明によると、ｅＮｏｄｅＢが変更されないが、ＳＧＷが変更されたトラッキングエリア更新（ＴＡＵ）の場面において、ＭＭＥによりターゲットＳＧＷをＵＥにサービスするＳＧＷとして選択するとともに、ｅＮｏｄｅＢに対してＵＥにターゲットＳＧＷのサービスエリアに変更することを指示する通知メッセージを送信する、又はＭＭＥによりＵＥにＳＧＷを選択することを停止し、直接ＵＥに引き続きソースＳＧＷでサービスを受けることを指示することにより、ｅＮｏｄｅＢが変更されないが、ＳＧＷが変更されたトラッキングエリア更新（ＴＡＵ）の場面で、ｅＮｏｄｅＢがＵＥの載置したアップリンクＩＰアドレスとＴＥＩＤが変更されたことを承知できないことによりＵＥサービスの中断になることが解決され、さらにＵＥがＴＡＵの後のサービスの継続性を維持し、ユーザのエクスペリエンスが高められたなどの効果を達成できる。
【図面の簡単な説明】
【００２５】
以下に記載の図面は、本発明をさらに理解するために提供され、本願の一部を構成し、本発明の好適の実施例及びその説明は本発明を解釈するものであり、本発明を限定するものではない。
【図１】関連技術に係わるｅＮｏｄｅＢのセルＴＡＣ配置の変更により、ＵＥが、ｅＮｏｄｅＢが変更せず、ＳＧＷが変更されたＴＡＵを開始させた後（即ち場面一）、ＵＥサービスが中断したことを示す図である。
【図２】関連技術に係わるＵＥがｅＮｏｄｅＢ内の異なるＴＡ間で移動することにより、ＵＥが、ｅＮｏｄｅＢが変更せず、ＳＧＷが変更されたＴＡＵを開始させた後（即ち場面二）、ＵＥサービスが中断したことを示す図である。
【図３】本発明の実施例に係わるトラッキングエリア更新にユーザ機器サービスの継続性を維持する方法のフローチャート図である。
【図４】本発明の好適な実施例一に係わるＵＥが、ｅＮｏｄｅＢが変更せずＳＧＷが変更されたＴＡＵを開始させた後、ＵＥサービスの継続性を維持することを示す図である。
【図５】本発明の好適な実施例二に係わるＵＥが、ｅＮｏｄｅＢが変更せずＳＧＷが変更されたＴＡＵを開始させた後、ＵＥサービスの継続性を維持することを示す図である。
【図６】本発明の好適な実施例一に係わるｅＮｏｄｅＢのセルＴＡＣ配置が変更によりＵＥが、ｅＮｏｄｅＢが変更せずＳＧＷが変更されたＴＡＵを開始させた後（即ち場面一）ＵＥサービスの継続性を維持するフローチャート図である。
【図７】本発明の好適な実施例一に係わるＵＥがｅＮｏｄｅＢ内の異なるＴＡ間で移動することにより、ＵＥが、ｅＮｏｄｅＢが変更せずＳＧＷが変更されたＴＡＵを開始させた後（即ち場面二）、ＵＥサービスの継続性を維持するフローチャート図である。
【図８】本発明の好適な実施例二に係わるｅＮｏｄｅＢのセルＴＡＣ配置の変更により、ＵＥが、ｅＮｏｄｅＢが変更せずＳＧＷが変更されたＴＡＵを開始させた後（即ち場面一）、ＵＥサービスの継続性を維持するフローチャート図である。
【図９】本発明の好適な実施例二に係わるＵＥがｅＮｏｄｅＢ内の異なるＴＡ間で移動することにより、ＵＥが、ｅＮｏｄｅＢが変更せずＳＧＷが変更されたＴＡＵを開始させた後（即ち場面二）、ＵＥサービスの継続性を維持するフローチャート図である。
【図１０】本発明の実施例に係わるトラッキングエリア更新後にユーザ機器サービスの継続性を維持する装置の構造ブロック図である。
【図１１】本発明の好適な実施例に係わるトラッキングエリア更新後にユーザ機器サービスの継続性を維持する装置の構造ブロック図である。
【発明を実施するための形態】
【００２６】
以下、図面を参照しながら、実施例を結合して本発明を詳しく説明する。なお、本願の実施例および実施例の特徴は、衝突がない場合には、互いに組み合わせることが可能である。
【００２７】
図３は本発明の実施例に係わるトラッキングエリア更新にユーザ機器サービスの継続性を維持する方法のフローチャート図である。図３に示すように、当該方法は主に以下のようなステップ（ステップＳ３０２〜ステップＳ３０６を含む）。
【００２８】
ステップＳ３０２について、ユーザ機器（ＵＥ）がトラッキングエリア更新（ＴＡＵ）要求を発信してから、移動管理エンティティ（ＭＭＥ）は、更新後のターゲットサービスゲートウェイ（ＳＧＷ）とソースサービスゲートウェイ（ＳＧＷ）とが同様であるか否かを判定する。
ステップＳ３０４について、判定結果がＮＯである場合、ＭＭＥは、続いてＵＥの現在アクセスしている進化型基地局（ｅＮｏｄｅＢ）が変更されたか否かを判定する。
ステップＳ３０６について、ｅＮｏｄｅＢが変更されていない場合、ＭＭＥはターゲットＳＧＷをＵＥにサービスするＳＧＷとして選択するとともに、ｅＮｏｄｅＢに対してＵＥにターゲットＳＧＷのサービスエリアに変更することを指示する通知メッセージを送信する、又は、ＭＭＥは、ＵＥにＳＧＷを選択することを停止し、直接ＵＥに引き続きソースＳＧＷでサービスを受けることを指示する。
【００２９】
本実施例のステップＳ３０４において、ＭＭＥは、ターゲットＳＧＷをＵＥにサービスするＳＧＷとして選択してから、ＭＭＥは、コアネットワークがターゲットＳＧＷでＵＥに第１のベアラコンテキストを作成したことを確定することと、ＭＭＥは、第１のベアラコンテキストが作成されたことにより、トラッキングエリア更新が成功したと確定し、ＵＥに対してトラッキングエリア更新が成功したことを指示する確認メッセージを送信する。
【００３０】
本実施例のステップＳ３０４において、ＭＭＥがｅＮｏｄｅＢに対してＵＥにターゲットＳＧＷのサービスエリアに変更することを指示する通知メッセージを送信するとき、具体的には、ＭＭＥが、まずＵＥがターゲットＳＧＷに載置した、ＵＥがすでにターゲットＳＧＷのサービスエリアに変更したことを指示するインターネットプロトコル（ＩＰ）アドレスとトンネルエンドポイント識別子（ＴＥＩＤ）を取得して、それからＩＰアドレスとＴＥＩＤとを通知メッセージに載せてｅＮｏｄｅＢに送信することを含む。
【００３１】
例えば、実際の応用において、以下のような方式を採用することができる。
【００３２】
図４は本発明の好適な実施例一に係わるＵＥが、ｅＮｏｄｅＢが変更せずＳＧＷが変更されたＴＡＵを開始させた後、ＵＥサービスの継続性を維持することを示す図である。図４に示すように、ＵＥがＴＡＵ要求を発信してから、ＭＭＥがまず更新されたターゲットＴＡが、ＵＥの元にアクセスしていたＳＧＷ１のサービスエリアを超えているか否かを判定するとともに、ＵＥの現在アクセスしているｅＮｏｄｅＢが変更されたか否かを続いて判定し、最終的に、ＵＥのＳＧＷが変更されたが、ＵＥのアクセスしているｅＮｏｄｅＢが変更されていないと判定する場合、ＵＥにＳＧＷを再選択する。さらに、コアネットワークがＳＧＷ２で新しいベアラコンテキストを作成してから、ＭＭＥが、ＵＥに対してＴＡＣ  ＡＣＣ（トラッキングエリア更新成功確認メッセージ）を送信し、且つｅＮｏｄｅＢに対して、パス切替要求応答（Ｐａｔｈ  Ｓｗｉｔｃｈ  Ｒｅｑｕｅｓｔ  Ａｃｋｎｏｗｌｅｄｇｅ）メッセージ（ＵＥがＳＧＷ２に載置する伝送層（即ちＩＰ）アドレスとＴＥＩＤを載せる）を送信し、ｅＮｏｄｅＢが当該パス切替要求応答メッセージを受信してから、ローカルで載置アドレスとＴＥＩＤのアップリンク切替（即ちｅＮｏｄｅＢのアップリンクパスをＳＧＷ１からＳＧＷ２に移行させる）をして、それが受信したＵＥからのアップリンクサービスパケットをＳＧＷ２に転送する。こうすると、ＴＡＵが完了後に、ＵＥのサービスが順調にＳＧＷ２に切替え、ＵＥサービスの継続性が確保されている。
【００３３】
本実施例において、ＭＭＥがＩＰアドレスとＴＥＩＤとを確認メッセージに載せて、ｅＮｏｄｅＢに送信してから、ｅＮｏｄｅＢが、確認メッセージにおけるＩＰアドレスとＴＥＩＤにより、ＵＥの載置したアップリンクをソースＳＧＷからターゲットＳＧＷに切り替えることができ、切り替え操作が成功した場合、ＵＥからのアップリンクパケットを受信し、アップリンクサービスパケットをターゲットＳＧＷに転送する。
【００３４】
例えば、実際の応用において、ＭＭＥは、ＵＥにＳＧＷを選択することを停止し、直接ＵＥに続いてソースＳＧＷでサービスを受けることを指示するとき、以下のような方式を採用することができる。
【００３５】
図５は本発明の好適な実施例二に係わるＵＥが、ｅＮｏｄｅＢが変更せずＳＧＷが変更されたＴＡＵを開始させた後、ＵＥサービスの継続性を維持することを示す図である。図５に示すように、ＵＥがＴＡＵ要求を発信してから、ＭＭＥがまず更新されたターゲットＴＡが、ＵＥの元にアクセスしていたＳＧＷ１のサービスエリアを超えているか否かを判定するとともに、ＵＥの現在アクセスしているｅＮｏｄｅＢが変更されたか否かを続いて判定し、最終的に、ＵＥのＳＧＷが変更されたが、ＵＥのアクセスしているｅＮｏｄｅＢが変更されていないと判定する場合、ＭＭＥがＵＥにＳＧＷを再選択することをせず、ＵＥが続いてソースＳＧＷでサービスを受けることを許容する。また、ＵＥに対してＴＡＣ  ＡＣＣ（トラッキングエリア更新成功確認メッセージ）を送信する。このように、ＴＡＵが完了後に、ＵＥが引き続きＳＧＷ１のサービスを受け、同じくＵＥサービスの継続性が確保されている。
【００３６】
本実施例において、ＭＭＥがＵＥにＳＧＷを選択することを停止し、直接ＵＥに続いてソースＳＧＷでサービスを受けることを指示してから、ＭＭＥがさらにＵＥに対してトラッキングエリア更新が成功したことを指示する確認メッセージを送信する。
【００３７】
以下、図６、図７を結合して、本発明の好適な実施例一の実現するプロセス（実施例１と実施例２を含む）について詳しく説明する。
【００３８】
実施例１
図６は、本発明の好適な実施例一に係わるｅＮｏｄｅＢのセルＴＡＣ配置が変更によりＵＥが、ｅＮｏｄｅＢが変更せずＳＧＷが変更されたＴＡＵを開始させた後（即ち場面一）ＵＥサービスの継続性を維持するフローチャート図である。図６に示すように、当該プロセスには以下のようなステップが含まれる（ステップＳ６０２〜ステップＳ６１０）。
【００３９】
ステップＳ６０２について、ＵＥ  ＡＴＴＡＣＨ（アタッチ）が成功し、ＳＧＷ１がアクセスされ、ＳＧＷ１でベアラコンテキストを作成し、データが通常通りに伝送される。
【００４０】
ステップＳ６０４について、ｅＮｏｄｅＢ配置セルＴＡＣが変更され、ＵＥが更新したブロードキャストを受信してから、セルＴＡが変更され、且つＵＥがＴＡで登録していないことに気づき、ＴＡＵプロセスを開始させる。
【００４１】
ステップＳ６０６について、ＭＭＥがＴＡＵ要求を受信して、ＴＡがＳＧＷ１サービスエリアに属しないことに気づき、ＳＧＷを再選択すべきと判定し、ＭＭＥがＳＧＷ２で載置作成プロセスを開始させる。
【００４２】
ステップＳ６０８について、ＳＧＷ２の載置作成が成功し、ＭＭＥがＵＥに対してＴＡＵ  ＡＣＣメッセージを送信するとともに、ｅＮｏｄｅＢに対して、パス切替要求応答メッセージを送信し、ＳＧＷ２の載置ＩＰアドレスとＴＥＩＤ情報をｅＮｏｄｅＢに通知し、ＭＭＥがＳＧＷ１に返事要求を削除するメッセージを送信し、ＳＧＷ１によりＵＥの載置情報が削除される。
【００４３】
ステップＳ６１０について、ｅＮｏｄｅがメッセージを受信してから、載置したアップリンクＩＰアドレスとＴＥＩＤを切替え、ＳＧＷ２にＵＥのデータパケットを転送する。ＵＥデータサービスが継続するように維持されている。
【００４４】
実施例２
図７は、本発明の好適な実施例一に係わるＵＥがｅＮｏｄｅＢ内の異なるＴＡ間で移動することにより、ＵＥが、ｅＮｏｄｅＢが変更せずＳＧＷが変更されたＴＡＵを開始させた後（即ち場面二）、ＵＥサービスの継続性を維持するフローチャート図である。図７に示すように、当該プロセスには、以下のようなステップ（ステップＳ７０２〜ステップＳ７１０）が含まれる。
【００４５】
ステップＳ７０２について、ＵＥ  ＡＴＴＡＣＨ（アタッチ）が成功し、ＳＧＷ１がアクセスされ、ＳＧＷ１でベアラコンテキストを作成し、データが通常通りに伝送される。
【００４６】
ステップＳ７０４について、ｅＮｏｄｅＢ内の異なるＴＡ間で移動し、ＵＥが移動先セルのブロードキャストを受信してから、セルＴＡが変更され、且つＵＥがＴＡで登録していないことに気づき、ＴＡＵプロセスを開始させる。
【００４７】
ステップＳ７０６について、ＭＭＥがＴＡＵ要求を受信して、ＴＡがＳＧＷ１サービスエリアに属しないことに気づき、ＳＧＷを再選択すべきと判定し、ＭＭＥがＳＧＷ２で載置作成プロセスを開始させる。
【００４８】
ステップＳ７０８について、ＳＧＷ２の載置作成が成功し、ＭＭＥがＵＥに対してＴＡＵ  ＡＣＣメッセージを送信するとともに、ｅＮｏｄｅＢに対して、パス切替要求応答メッセージを送信し、ＳＧＷ２の載置ＩＰアドレスとＴＥＩＤ情報をｅＮｏｄｅＢに通知し、ＭＭＥがＳＧＷ１に返事要求を削除するメッセージを送信し、ＳＧＷ１によりＵＥの載置情報が削除される。
【００４９】
ステップＳ７１０について、ｅＮｏｄｅがメッセージを受信してから、載置したアップリンクＩＰアドレスとＴＥＩＤを切替え、ＳＧＷ２にＵＥのデータパケットを転送する。ＵＥデータサービスが継続するように維持されている。
【００５０】
以下、図８、図９を結合して、本発明の好適な実施例二の実現するプロセス（実施例３と実施例４を含む）を詳しく説明する。
【００５１】
実施例３
図８は、本発明の好適な実施例二に係わるｅＮｏｄｅＢのセルＴＡＣ配置の変更により、ＵＥが、ｅＮｏｄｅＢが変更せずＳＧＷが変更されたＴＡＵを開始させた後（即ち場面一）、ＵＥサービスの継続性を維持するフローチャート図である。図８に示すように、当該プロセスは以下のようなステップが含まれる（ステップＳ８０２〜ステップＳ８０８）。
【００５２】
ステップＳ８０２について、ＵＥ  ＡＴＴＡＣＨ（アタッチ）が成功し、ＳＧＷ１がアクセスされ、ＳＧＷ１でベアラコンテキストを作成し、データが通常通りに伝送される。
【００５３】
ステップＳ８０４について、ｅＮｏｄｅＢ配置セルＴＡＣが変更され、ＵＥが更新されたブロードキャストを受信してから、セルＴＡが変更され、且つＵＥがＴＡで登録していないことに気づき、ＴＡＵプロセスを開始させる。
【００５４】
ステップＳ８０６について、ＭＭＥがＴＡＵ要求を受信して、新しいＴＡがＳＧＷ１サービスエリアに属しなく、且つＵＥのアクセスしているｅＮｏｄｅＢが変更されていないことに気づき、ＭＭＥがＳＧＷを再選択することを止め、ＵＥに引き続きＳＧＷ１でサービスを受けさせる。
【００５５】
ステップＳ８０８について、ＭＭＥがＵＥに対してＴＡＵ  ＡＣＣメッセージを送信し、ＵＥデータサービスが継続するように維持されている。
【００５６】
実施例４
図９は、本発明の好適な実施例二に係わるＵＥがｅＮｏｄｅＢ内の異なるＴＡ間で移動することにより、ＵＥが、ｅＮｏｄｅＢが変更せずＳＧＷが変更されたＴＡＵを開始させた後（即ち場面二）、ＵＥサービスの継続性を維持するフローチャート図である。図９に示すように、当該プロセスには、以下のようなステップが含まれる（ステップＳ９０２〜ステップＳ９０８）。
【００５７】
ステップＳ９０２について、ＵＥがｅＮｏｄｅＢ内の異なるＴＡ間で移動し、ＵＥが移動先セルのブロードキャストを受信してから、セルＴＡが変更され、且つＵＥがＴＡで登録していないことに気づき、ＴＡＵプロセスを開始させる。
【００５８】
ステップＳ９０４について、ｅＮｏｄｅＢ配置セルＴＡＣが変更され、ＵＥが更新されたブロードキャストを受信してから、セルＴＡが変更され、且つＵＥがＴＡで登録していないことに気づき、ＴＡＵプロセスを開始させる。
【００５９】
ステップＳ９０６について、ＭＭＥがＴＡＵ要求を受信して、新しいＴＡがＳＧＷ１サービスエリアに属しなく、且つＵＥのアクセスしているｅＮｏｄｅＢが変更されていないことに気づき、ＭＭＥがＳＧＷを再選択することを止め、ＵＥに引き続きＳＧＷ１でサービスを受けさせる。
【００６０】
ステップＳ９０８について、ＭＭＥがＵＥに対してＴＡＵ  ＡＣＣメッセージを送信し、ＵＥデータサービスが継続するように維持されている。
【００６１】
上記実施例係わるトラッキングエリア更新後にユーザ機器サービスの継続性を維持する方法を採用することで、ＵＥにｅＮｏｄｅＢが変更されないが、ＳＧＷが変更されたトラッキングエリア更新（ＴＡＵ）が発生した場合、ＭＭＥによりターゲットＳＧＷをＵＥにサービスするＳＧＷとして選択するとともに、ｅＮｏｄｅＢに対してＵＥにターゲットＳＧＷのサービスエリアに変更することを指示する通知メッセージを送信する、又はＭＭＥによりＵＥにＳＧＷを選択することを停止し、直接ＵＥに引き続きソースＳＧＷでサービスを受けることを指示することにより、当該場面におけるｅＮｏｄｅＢがＵＥの載置したアップリンクＩＰアドレスとＴＥＩＤが変更されたことを承知してから、タイムリーにＵＥサービスパスを調整し、ＵＥのＴＡＵの後のサービスの継続性が維持され、ユーザのエクスペリエンスが高められたなどの効果を達成できる。
【００６２】
図１０は、本発明の実施例に係わるトラッキングエリア更新後にユーザ機器サービスの継続性を維持する装置の構造ブロック図である。当該装置は、上記実施例に係わるトラッキングエリア更新後にユーザ機器サービスの継続性を維持する方法を実現することに用いられ、図１０に示すように、当該装置は、ユーザ機器（ＵＥ）がトラッキングエリア更新（ＴＡＵ）要求を発信してから、更新後のターゲットサービスゲートウェイ（ＳＧＷ）とソースサービスゲートウェイ（ＳＧＷ）とが同様であるか否かを判定する第１の判定モジュール１０と、第１の判定モジュール１０に接続され、第１の判定モジュールの判定結果がＮＯである場合、ＵＥの現在アクセスしている進化型基地局（ｅＮｏｄｅＢ）が変更されたか否かを判定する第２の判定モジュール２０と、第２の判定モジュール２０に接続され、ＵＥの現在アクセスしているｅＮｏｄｅＢが変更されていない場合、ターゲットＳＧＷをＵＥにサービスするＳＧＷとして選択するとともに、ｅＮｏｄｅＢに対してＵＥにターゲットＳＧＷのサービスエリアに変更することを指示する通知メッセージを送信する、又は、ＵＥにＳＧＷを選択することを停止し、直接ＵＥに引き続きソースＳＧＷでサービスを受けることを指示する実行モジュール３０とを含む。
【００６３】
図１１は本発明の好適な実施例に係わるトラッキングエリア更新後にユーザ機器サービスの継続性を維持する装置の構造ブロック図である。図１１に示すように、当該装置は、実行モジュールに接続され、ターゲットＳＧＷをＵＥにサービスするＳＧＷとして選択してから、コアネットワークがターゲットＳＧＷでＵＥに第１のベアラコンテキストを作成したことを確定する第１の確定モジュール４０と、第１の確定モジュール４０に接続され、第１のベアラコンテキストが作成されたことにより、トラッキングエリア更新が成功したと確定し、ＵＥに対してトラッキングエリア更新が成功したことを指示する確認メッセージを送信する第２の確定モジュール５０とをさらに含む。
【００６４】
本実施例において、実行モジュール３０は、ＵＥがターゲットＳＧＷに載置した、ＵＥがすでにターゲットＳＧＷのサービスエリアに変更したことを指示するインターネットプロトコル（ＩＰ）アドレスとトンネルエンドポイント識別子（ＴＥＩＤ）を取得する取得ユニット３２と、取得ユニット３２に接続され、ＩＰアドレスとＴＥＩＤとを通知メッセージに載せてｅＮｏｄｅＢに送信する送信ユニット３４とを含む。
【００６５】
実行モジュール３０は、送信ユニット３４に接続され、確認メッセージにおけるＩＰアドレスとＴＥＩＤによりＵＥの載置するアップリンクをソースＳＧＷからターゲットＳＧＷに切り替えることをｅＮｏｄｅＢに指示する切替指示ユニット３６と、切替指示ユニット３６に接続され、切替操作が成功した場合、ＵＥからのアップリンクサービスパケットを受信し、アップリンクサービスパケットをターゲットＳＧＷに転送することをｅＮｏｄｅＢに指示する転送指示ユニット３８とを含むことが好ましい。
【００６６】
本実施例において、当該装置は、実行モジュール３０に接続され、実行モジュール３０により、ターゲットＳＧＷをＵＥにサービスするＳＧＷとして選択するとともに、ｅＮｏｄｅに対して、ＵＥにターゲットＳＧＷのサービスエリアに変更することを指示する通知メッセージを送信する、又は、ＵＥにＳＧＷを選択することを停止し、直接ＵＥに引き続きソースＳＧＷでサービスを受けることを指示することが実行されてから、ＵＥに対してトラッキングエリア更新が成功した旨の確認メッセージを送信する送信モジュール６０をさらに含む。
【００６７】
上記実施例に係わるトラッキングエリア更新後にユーザ機器サービスの継続性を維持する装置を採用すると、ｅＮｏｄｅＢが変更されないが、ＳＧＷが変更されたトラッキングエリア更新（ＴＡＵ）の場面において、ＭＭＥによりターゲットＳＧＷをＵＥにサービスするＳＧＷとして選択するとともに、ｅＮｏｄｅＢに対してＵＥにターゲットＳＧＷのサービスエリアに変更することを指示する通知メッセージを送信する、又はＭＭＥによりＵＥにＳＧＷを選択することを停止し、直接ＵＥに引き続きソースＳＧＷでサービスを受けることを指示することにより、ｅＮｏｄｅＢが変更されないが、ＳＧＷが変更されたトラッキングエリア更新（ＴＡＵ）の場面で、ｅＮｏｄｅＢがＵＥの載置したアップリンクＩＰアドレスとＴＥＩＤが変更されたことを承知できないことによりＵＥサービスの中断になることが解決され、さらにＵＥがＴＡＵの後のサービスの継続性を維持し、ユーザのエクスペリエンスが高められたなどの効果を達成できる。
【００６８】
上記実施例に係わるトラッキングエリア更新後にユーザ機器サービスの継続性を維持する装置を採用することで、ＵＥにｅＮｏｄｅＢが変更されないが、ＳＧＷが変更されたトラッキングエリア更新（ＴＡＵ）が発生した場合、ＭＭＥによりターゲットＳＧＷをＵＥにサービスするＳＧＷとして選択するとともに、ｅＮｏｄｅＢに対してＵＥにターゲットＳＧＷのサービスエリアに変更することを指示する通知メッセージを送信する、又はＭＭＥによりＵＥにＳＧＷを選択することを停止し、直接ＵＥに引き続きソースＳＧＷでサービスを受けることを指示することにより、当該場面におけるｅＮｏｄｅＢがＵＥの載置したアップリンクＩＰアドレスとＴＥＩＤが変更されたことを承知してから、タイムリーにＵＥサービスパスを調整し、ＵＥのＴＡＵの後のサービスの継続性が維持され、ユーザのエクスペリエンスが高められたなどの効果を達成できる。
【００６９】
上記説明から分かるように、本発明は、ＵＥにｅＮｏｄｅＢが変更されないが、ＳＧＷが変更されたトラッキングエリア更新（ＴＡＵ）が発生した場合、ＭＭＥによりターゲットＳＧＷをＵＥにサービスするＳＧＷとして選択するとともに、ｅＮｏｄｅＢに対してＵＥにターゲットＳＧＷのサービスエリアに変更することを指示する通知メッセージを送信する、又はＭＭＥによりＵＥにＳＧＷを選択することを停止し、直接ＵＥに引き続きソースＳＧＷでサービスを受けることを指示することにより、ＵＥにｅＮｏｄｅＢが変更されないが、ＳＧＷが変更されたトラッキングエリア更新（ＴＡＵ）の場面で、ｅＮｏｄｅＢがＵＥの載置したアップリンクＩＰアドレスとＴＥＩＤが変更されたことを承知できないことによりＵＥサービスの中断になることが解決され、当該場面におけるｅＮｏｄｅＢがＵＥの載置したアップリンクＩＰアドレスとＴＥＩＤが変更されたことを承知してから、タイムリーにＵＥサービスパスを調整できるようになり、さらにＵＥがＴＡＵの後のサービスの継続性を維持し、ユーザのエクスペリエンスが高められたなどの効果を達成できる。
【００７０】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。
【００７１】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
0005844942.tif 000003
【図２】
0005844942.tif 000004
【図３】
0005844942.tif 000005
【図４】
0005844942.tif 000006
【図５】
0005844942.tif 000007
【図６】
0005844942.tif 000008
【図７】
0005844942.tif 000009
【図８】
0005844942.tif 000010
【図９】
0005844942.tif 000011
【図１０】
0005844942.tif 000012
【図１１】
0005844942.tif 000013